【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
撮影レンズの特定の撮影距離に関する情報を記憶し、該記憶した情報に基づく撮影距離に撮影レンズを位置決め可能なカメラシステムにおいて、
前記特定の撮影距離における前記撮影レンズの結像面と所定の結像面とのずれ量を検出するずれ量検出手段と、
前記ずれ量に基づいて前記特定の撮影距離を補正する補正手段と、
前記補正された撮影距離に前記撮影レンズを位置決めする制御手段とを備えることを特徴とするカメラシステム。
【請求項２】
焦点距離が可変の撮影レンズを備え、該撮影レンズの特定の撮影距離に関する情報を記憶し、該記憶した情報に基づく撮影距離に撮影レンズを位置決め可能なカメラシステムにおいて、
前記情報を記憶した際の第１の焦点距離とは異なる第２の焦点距離における前記特定の撮影距離での結像位置を求める演算手段と、
前記結像位置に基づいて前記特定の撮影距離を補正して得られる撮影距離に前記撮影レンズを位置決めする制御手段とを備えることを特徴とするカメラシステム。
【請求項３】
前記特定の撮影距離における前記撮影レンズの結像面と所定の結像面とのずれ量を検出するずれ量検出手段をさらに備え、
前記ずれ量検出手段によって、前記第１の焦点距離における前記特定の撮影距離での第１のずれ量を検出し、
前記演算手段は、前記第１及び第２の焦点距離と前記第１のずれ量とに基づいて、前記第２の焦点距離における前記特定の撮影距離での第２のずれ量を求め、
前記制御手段は、前記特定の撮影距離において前記撮影レンズが合焦しているとみなせる所定の範囲内に前記第２のずれ量が無い場合に、前記所定の範囲内に結像面が形成される位置に前記特定の撮影距離を補正することを特徴とする請求項２に記載のカメラシステム。
【請求項４】
前記第２のずれ量は、焦点調節光学系の単位移動量に対する結像面の変動量の比と第１のずれ量とに基づいて求めることを特徴とする請求項３に記載のカメラシステム。
【請求項５】
前記演算手段は、結像位置に対して前記焦点距離の変化に伴う前記撮影レンズの結像位置の変動量を補正することを特徴とする請求項２乃至４のいずれか一項に記載のカメラシステム。
【請求項６】
前記演算手段は、前記撮影レンズの焦点距離の変化に伴う焦点移動量を考慮して前記第２の焦点距離における前記特定の撮影距離での結像位置を求めることを特徴とする請求項２乃至５のいずれか一項に記載のカメラシステム。
【請求項７】
焦点距離が可変の撮影レンズを備え、該撮影レンズの特定の撮影距離に関する情報を記憶し、該記憶した情報に基づく撮影距離に撮影レンズを位置決め可能なカメラシステムにおいて、
異なる複数の前記焦点距離における前記特定の撮影距離での結像位置の偏差を求める演算手段と、
前記偏差に基づいて前記特定の撮影距離を補正する補正手段と、
前記補正された撮影距離に前記撮影レンズを位置決めする制御手段とを備えることを特徴とするカメラシステム。
【請求項８】
光軸方向に移動して焦点調節を行う焦点調節光学系と、焦点距離を第１の焦点距離と第２の焦点距離に変更可能な変倍光学系とを有する撮影レンズと、
前記焦点調節光学系を駆動する駆動手段と、
前記焦点調節光学系の位置に関する情報を検出する位置検出手段と、
前記撮影レンズの結像位置と所定の結像面とのずれ量を検出するずれ量検出手段と、
前記第１の焦点距離において前記撮影レンズが特定の撮影距離にある場合の前記焦点調節光学系の位置に関する情報と前記ずれ量とを記憶する記憶手段と、
前記第２の焦点距離において、前記撮影レンズが前記特定の撮影距離にある場合の結像面と前記所定の結像面とのずれ量を、前記第１及び第２の焦点距離と前記記憶したずれ量とに基づいて求める演算手段と、
前記演算手段によって求めた前記ずれ量と、前記記憶した情報とに基づく光軸方向の位置に前記焦点調節光学系を駆動するように前記駆動手段を制御する制御手段とを備えたことを特徴とするカメラシステム。
【請求項９】
光軸方向に移動して焦点調節を行う焦点調節光学系と、
前記焦点調節光学系の位置に関する情報を検出する位置検出手段と、
前記焦点調節光学系の結像位置と所定の結像面とのずれ量の検出結果と前記位置検出手段の検出結果とに基づいて前記焦点調節光学系の位置に関する情報を補正し、補正結果に基づいて前記焦点調節光学系を前記光軸方向に移動させるように制御する制御手段とを備えることを特徴とするレンズ鏡筒。
【請求項１０】
前記位置検出手段の検出結果と前記ずれ量の検出結果とを記憶する記憶手段を備えることを特徴とする請求項９に記載のレンズ鏡筒。
【請求項１１】
光軸方向に移動して焦点調節を行う焦点調節光学系と、前記光軸方向に移動して焦点距離を変更可能な変倍光学系とを有する撮影レンズと、
前記焦点調節光学系の位置に関する情報を検出する位置検出手段と、
前記位置検出手段が前記焦点調節光学系の位置に関する情報を検出した際の第１の焦点距離とは異なる第２の焦点距離における前記撮影レンズの結像位置を求める演算手段と、
前記演算手段の演算結果に基づいて前記焦点調節光学系の位置に関する情報を補正し、補正結果に基づいて前記焦点調節光学系を前記光軸方向に移動させる制御手段とを備えることを特徴とするレンズ鏡筒。
【請求項１２】
前記演算手段は、前記第１の焦点距離における前記撮影レンズの結像位置と所定の結像面との第１のずれ量の検出結果と、前記第１の焦点距離と、前記第２の焦点距離とに基づいて、前記第２の焦点距離における前記撮影レンズの結像位置と前記所定の結像面との第２のずれ量を求めることを特徴とする請求項１１に記載のレンズ鏡筒。
【請求項１３】
前記位置検出手段の検出結果と前記第１のずれ量とを記憶する記憶手段を備えることを特徴とする請求項１２に記載のレンズ鏡筒。
【請求項１４】
前記制御手段は、前記第２のずれ量が合焦しているとみなせる所定の範囲内にあるか否かを判断することを特徴とする請求項１２又は１３に記載のレンズ鏡筒。
【請求項１５】
前記制御手段は、前記第２のずれ量が前記所定の範囲内に無い場合に、前記焦点調節光学系の位置に関する情報を補正することを特徴とする請求項１２乃至１４に記載のレンズ鏡筒。
【請求項１６】
前記演算手段は、前記焦点調節光学系の単位移動量に対する結像面の変動量の比と前記第１のずれ量とに基づいて前記第２のずれ量を求めることを特徴とする請求項１２乃至１５のいずれか１項に記載のレンズ鏡筒。
【請求項１７】
前記演算手段は、焦点距離の変化に伴う焦点移動量を考慮して前記第２の焦点距離における前記特定の撮影距離での結像位置を求めることを特徴とする請求項１０乃至１６のいずれか１項に記載のレンズ鏡筒。
【請求項１８】
前記第１の焦点距離が前記第２の焦点距離より短いことを特徴とする請求項１０乃至１７のいずれか１項に記載のレンズ鏡筒。
【請求項１９】
前記焦点調節光学系の単位移動量と結像面の変動量との比と、焦点距離の変化による焦点移動量とを記憶することを特徴とする請求項１０乃至１８のいずれか１項に記載のレンズ鏡筒。
【請求項２０】
光軸上を移動して変倍を行う第１のレンズ群と、光軸上を移動して焦点調節を行う第２のレンズ群とを含む光学系と、
前記第１のレンズ群および前記第２のレンズ群の位置を検出する位置検出手段と、
前記第２のレンズ群を駆動させるレンズ駆動手段と、
位置検出の結果に基づいて前記光学系を駆動制御する制御手段と、
前記光学系の特定の撮影距離に関する情報を記憶し、該記憶した情報に基づく撮影距離に前記光学系を位置決め可能なズームレンズシステムにおいて、
異なる複数の焦点距離における前記特定の撮影距離での結像位置の偏差を求め、前記偏差に基づいて前記特定の撮影距離を補正することを特徴とするズームレンズシステム。
【手続補正２】
【補正対象書類名】明細書
【補正対象項目名】発明の名称
【補正方法】変更
【補正の内容】
【発明の名称】カメラシステム、レンズ鏡筒及びズームレンズシステム
【手続補正３】
【補正対象書類名】明細書
【補正対象項目名】００１８
【補正方法】変更
【補正の内容】
【００１８】
請求項４の発明は、請求項３に記載のカメラシステムにおいて、前記第２のずれ量を、焦点調節光学系の単位移動量に対する結像面の変動量の比と第１のずれ量とに基づいて求めるものである。
【手続補正４】
【補正対象書類名】明細書
【補正対象項目名】００１９
【補正方法】変更
【補正の内容】
【００１９】
請求項５の発明は、請求項２乃至４のいずれか１項に記載のカメラシステムにおいて、前記演算手段（１０）が、結像位置に対して前記焦点距離の変化に伴う前記撮影レンズ（２００）の結像位置の変動量を補正するものである。
請求項６の発明は、請求項２乃至５のいずれか一項に記載のカメラシステムにおいて、前記演算手段（１０）は、前記撮影レンズ（２００）の焦点距離の変化に伴う焦点移動量を考慮して前記第２の焦点距離における前記特定の撮影距離での結像位置を求めるものである。
【手続補正５】
【補正対象書類名】明細書
【補正対象項目名】００２０
【補正方法】変更
【補正の内容】
【００２０】
請求項７の発明は、焦点距離が可変の撮影レンズ（２００）を備え、該撮影レンズ（２００）の特定の撮影距離に関する情報を記憶し、該記憶した情報に基づく撮影距離に撮影レンズ（２００）を位置決め可能なカメラシステムにおいて、異なる複数の前記焦点距離における前記特定の撮影距離での結像位置の偏差を求める演算手段（１０）と、前記偏差に基づいて前記特定の撮影距離を補正する補正手段と、前記補正された撮影距離に前記撮影レンズを位置決めする制御手段と、を備えるカメラシステムである。
【手続補正６】
【補正対象書類名】明細書
【補正対象項目名】００２１
【補正方法】変更
【補正の内容】
【００２１】
請求項８の発明は、光軸方向に移動して焦点調節を行う焦点調節光学系（Ｌ１）と、焦点距離を第１の焦点距離と第２の焦点距離とに変更可能な変倍光学系（Ｌ２）とを有する撮影レンズ（２００）と、前記焦点調節光学系（Ｌ１）を駆動する駆動手段（１）と、前記焦点調節光学系の位置に関する情報を検出する位置検出手段（３）と、前記撮影レンズの結像位置と所定の結像面とのずれ量を検出するずれ量検出手段（２）と、前記第１の焦点距離において前記撮影レンズ（２００）が特定の撮影距離にある場合の前記焦点調節光学系（Ｌ１）の位置に関する情報と前記ずれ量とを記憶する記憶手段（７，８）と、前記第２の焦点距離において前記撮影レンズが前記特定の撮影距離にある場合の結像面と前記所定の結像面とのずれ量を、前記第１及び第２の焦点距離と前記記憶したずれ量とに基づいて求める演算手段（１０）と、前記演算手段（１０）によって求めた前記ずれ量と、前記記憶した情報とに基づく光軸方向の位置に前記焦点調節光学系を駆動するように前記駆動手段（１）を制御する制御手段と、を備えたカメラシステムである。
請求項９の発明は、光軸方向に移動して焦点調節を行う焦点調節光学系（Ｌ１）と、前記焦点調節光学系（Ｌ１）の位置に関する情報を検出する位置検出手段（３）と、前記焦点調節光学系の結像位置と所定の結像面とのずれ量の検出結果と前記位置検出手段（３）の検出結果とに基づいて前記焦点調節光学系（Ｌ１）の位置に関する情報を補正し、補正結果に基づいて前記焦点調節光学系（Ｌ１）を前記光軸方向に移動させるように制御する制御手段とを備えることを特徴とするレンズ鏡筒である。
請求項１０の発明は、請求項９に記載のレンズ鏡筒において、前記位置検出手段（３）の検出結果と前記ずれ量の検出結果とを記憶する記憶手段（７，８）を備えるものである。
請求項１１の発明は、光軸方向に移動して焦点調節を行う焦点調節光学系（Ｌ１）と、前記光軸方向に移動して焦点距離を変更可能な変倍光学系（Ｌ２）とを有する撮影レンズ（２００）と、前記焦点調節光学系（Ｌ１）の位置に関する情報を検出する位置検出手段（３）と、前記位置検出手段（３）が前記焦点調節光学系（Ｌ１）の位置に関する情報を検出した際の第１の焦点距離とは異なる第２の焦点距離における前記撮影レンズ（２００）の結像位置を求める演算手段（１０）と、前記演算手段（１０）の演算結果に基づいて前記焦点調節光学系（Ｌ１）の位置に関する情報を補正し、補正結果に基づいて前記焦点調節光学系（Ｌ１）を前記光軸方向に移動させる制御手段とを備えることを特徴とするレンズ鏡筒。
請求項１２の発明は、請求項１１に記載のレンズ鏡筒において、前記演算手段は、前記第１の焦点距離における前記撮影レンズ（２００）の結像位置と所定の結像面との第１のずれ量の検出結果と、前記第１の焦点距離と、前記第２の焦点距離とに基づいて、前記第２の焦点距離における前記撮影レンズ（２００）の結像位置と前記所定の結像面との第２のずれ量を求めるものである。
請求項１３の発明は、請求項１２に記載のレンズ鏡筒において、前記位置検出手段（３）の検出結果と前記第１のずれ量とを記憶する記憶手段（７，８）を備えるものである。
請求項１４の発明は、請求項１２又は１３に記載のレンズ鏡筒において、前記制御手段（１０）は、前記第２のずれ量が合焦しているとみなせる所定の範囲内にあるか否かを判断するものである。
請求項１５の発明は、請求項１２乃至１４に記載のレンズ鏡筒において、前記制御手段（１０）は、前記第２のずれ量が前記所定の範囲内に無い場合に、前記焦点調節光学系（Ｌ１）の位置に関する情報を補正するものである。
請求項１６の発明は、請求項１２乃至１５のいずれか１項に記載のレンズ鏡筒において、前記演算手段（１０）は、前記焦点調節光学系（Ｌ１）の単位移動量に対する結像面の変動量の比と前記第１のずれ量とに基づいて前記第２のずれ量を求めるものである。
請求項１７の発明は、請求項１０乃至１６のいずれか１項に記載のレンズ鏡筒において、前記演算手段（１０）は、焦点距離の変化に伴う焦点移動量を考慮して前記第２の焦点距離における前記特定の撮影距離での結像位置を求めるものである。
請求項１８の発明は、請求項１０乃至１７のいずれか１項に記載のレンズ鏡筒において、前記第１の焦点距離が前記第２の焦点距離より短いものである。
請求項１９の発明は、請求項１０乃至１８のいずれか１項に記載のレンズ鏡筒において、前記焦点調節光学系（Ｌ１）の単位移動量と結像面の変動量との比と、焦点距離の変化による焦点移動量とを記憶するものである。
請求項２０の発明は、ズームレンズシステムにおいて、光軸上を移動して変倍を行う第１のレンズ群（Ｌ２）と、光軸上を移動して焦点調節を行う第２のレンズ群（Ｌ１）とを含む光学系と、前記第１のレンズ群（Ｌ２）および前記第２のレンズ群（Ｌ１）の位置を検出する位置検出手段（３，４）と、前記第２のレンズ群（Ｌ１）を駆動させるレンズ駆動手段（１）と、位置検出の結果に基づいて前記光学系を駆動制御する制御手段と、前記光学系の特定の撮影距離に関する情報を記憶し、該記憶した情報に基づく撮影距離に前記光学系を位置決め可能なズームレンズシステムにおいて、異なる複数の焦点距離における前記特定の撮影距離での結像位置の偏差を求め、前記偏差に基づいて前記特定の撮影距離を補正することを特徴とする。
【手続補正７】
【補正対象書類名】明細書
【補正対象項目名】００２２
【補正方法】変更
【補正の内容】
【００２２】
本発明によれば、以下の効果を奏することができる。
（１）前記位置記憶操作部の操作により記憶させた位置に前記フォーカスレンズ群を復帰したときに、前記位置記憶操作部操作時のズレ量が許容範囲ぎりぎりの場合、前記位置復帰操作部を操作すると復帰誤差により復帰位置が許容範囲を外れてしまい、合焦していないおそれがある場合が生じるが、そのような場合でも、ズレ量検出手段によって検出した前記位置記憶操作部操作時のズレ量を使用して、前記位置復帰操作部操作時の復帰位置を補正するので、前記位置記憶操作時よりもズレ量の少ない位置に復帰させることができる。
（２）前記位置記憶操作部の操作により記憶させた位置に前記フォーカスレンズ群を復帰したときに、前記位置記憶操作部操作時と異なる焦点距離で前記位置復帰操作部を操作すると合焦していないおそれがある場合が生じるが、そのような場合でも、位置復帰操作部を操作したときの結像位置を演算し、演算した結像位置に基づいて復帰位置を補正するので、予期せずピントの甘い写真を撮影してしまうことを防止することができる。
（３）ズレ量検出手段をさらに備え、該ズレ量検出手段によって検出した前記位置記憶操作部操作時のズレ量を使用して、前記位置復帰操作部操作時のズレ量を演算するので、前記位置復帰操作部操作時のズレ量が所定の範囲内にない場合に、所定の範囲内に収まるように補正することができ、予期せずピントの甘い写真を撮影してしまうことを防止することができる。
（４）前記位置復帰操作部操作時のズレ量を、像面移動係数と前記位置記憶操作部操作時のズレ量とに基づいて求めるので、前記位置復帰操作部操作時のズレ量が所定の範囲内にない場合に、所定の範囲内に収まるように補正することができ、予期せずピントの甘い写
真を撮影してしまうことを防止することができる。
（５）前記演算において、焦点距離の変化による焦点移動量を考慮するので、正確なズレ量を演算することができ、前記位置復帰操作部操作時のズレ量が所定の範囲内にない場合に、所定の範囲内に収まるように補正することができ、予期せずピントの甘い写真を撮影してしまうことを防止することができる。
（６）前記演算において、焦点距離の変化による焦点移動量を考慮するので、正確なズレ量を演算することができる。  
（７）前記位置記憶操作部の操作により記憶させた位置に前記フォーカスレンズ群を復帰したときに、前記位置記憶操作部操作時と異なる焦点距離で前記位置復帰操作部を操作すると合焦していないおそれがある場合が生じるが、そのような場合でも、前記位置記憶操作部を操作したときと前記位置復帰操作部を操作したときとの結像位置の偏差を演算し、偏差に基づいて復帰位置を補正するので、予期せずピントの甘い写真を撮影してしまうことを防止することができる。
（８）第１と第２の焦点距離とに変更可能な変倍光学系を有する撮影レンズにおいて、第１焦点距離での焦点調節光学系の位置情報とズレ量とを記憶し、第１及び第２の焦点距離と第１焦点距離でのズレ量より第２焦点距離でのズレ量を求め、求めたズレ量と記憶した情報とに基づいて焦点調節光学系を駆動するので、正確な補正を行うことができ、予期せずピントの甘い写真を撮影してしまうことを防止することができる。
（９）焦点調節光学系の位置に関する情報を検出した際の結像位置と所定の結像面とのずれ量が許容範囲ぎりぎりの場合、フォーカスプリセットによる復帰位置が許容範囲を外れてしまい、合焦しなくなるおそれが生じるが、そのような場合でも、検出された焦点調節光学系の位置に関する情報を補正することができる。
（１０）記憶手段を備えるので、記憶した情報に基づいて補正を行うことができる。
（１１）焦点距離を変更可能な撮影レンズを有するレンズ鏡筒において、第１の焦点距離での焦点調節光学系の位置情報と第２の焦点距離での結像位置とに基づいて、前記位置情報を補正することができ、予期せずピントの甘い写真を撮影してしまうことを防止することができる。
（１２）検出した第１のずれ量を使用して第２のずれ量を求めるので、焦点調節光学系の位置情報を補正することができ、予期せずピントの甘い写真を撮影してしまうことを防止することができる。
（１３）記憶手段を備えるので、記憶した情報に基づいて正確な補正を行うことができる。
（１４）第２のずれ量を求めるので、該第２のずれ量が所定の範囲内にあるか否かを判断することができる。
（１５）第２のずれ量が所定の範囲内に無い場合に、焦点調節光学系の位置情報を補正することができ、ピントの甘い写真を撮影してしまうことを防止することができる。
（１６）第２のずれ量を像面移動係数と第１のずれ量とに基づいて求めるので、第２のずれ量が所定の範囲内にない場合に、所定の範囲内に収まるように補正することができ、予期せずピントの甘い写真を撮影してしまうことを防止することができる。
（１７）第２の焦点距離における撮影レンズの結像位置を求める演算において、焦点距離の変化による焦点移動量を考慮するので、正確なズレ量を演算することができ、第２のずれ量が所定の範囲内にない場合に、所定の範囲内に収まるように補正することができ、予期せずピントの甘い写真を撮影してしまうことを防止することができる。
（１８）第１の焦点距離が第２の焦点距離より短いので、ズーミングによりテレ側に焦点距離が変化したときであっても、焦点調節光学系の位置情報を補正することができ、予期せずピントの甘い写真を撮影してしまうことを防止することができる。
（１９）像面移動係数と焦点距離の変化による焦点移動量とを記憶し、演算手段による演算に用いることができる。
（２０）焦点距離を変更可能な撮影レンズを有するレンズ鏡筒において、第１の焦点距離での焦点調節光学系の位置情報と第２の焦点距離での結像位置とに基づいて、前記位置情報を補正することができ、予期せずピントの甘い写真を撮影してしまうことを防止することができる。